(57)【要約】【課題】鉛蓄電池を充放電する鉛蓄電池の充放電装置において、鉛蓄電池のサルフェーションを除去し、鉛蓄電池の性能を回復することができる鉛蓄電池の充放電装置を提供することである。【解決手段】鉛蓄電池の容量を回復するための機能回復動作と、前記鉛蓄電池を満充電するための充電動作を行う鉛蓄電池の充放電装置であって、前記鉛蓄電池を充電する充電部と、前記鉛蓄電池を放電する放電部と、前記充電部と前記放電部とを制御する制御部と、を備え、前記制御部は、前記機能回復動作として、前記鉛蓄電池の容量に応じた電流で分単位の充電を行った後、前記充電を停止し、前記鉛蓄電池の容量に応じた分単位の待機状態とし、続いて、前記鉛蓄電池の容量に応じた電流で分単位の放電を行った後、前記放電を停止し、前記鉛蓄電池の容量に応じた分単位の待機状態とするプロセスを１サイクルとして、複数回繰り返す。【選択図】図１
2015176829.tif 000002
【特許請求の範囲】
【請求項１】
鉛蓄電池の容量を回復するための機能回復動作と、前記鉛蓄電池を満充電するための充電動作を行う鉛蓄電池の充放電装置であって、
前記鉛蓄電池を充電する充電部と、
前記鉛蓄電池を放電する放電部と、
前記充電部と前記放電部とを制御する制御部と、
を備え、
前記制御部は、前記機能回復動作として、前記鉛蓄電池の容量に応じた電流で分単位の充電を行った後、前記充電を停止し、前記鉛蓄電池の容量に応じた分単位の待機状態とし、続いて、前記鉛蓄電池の容量に応じた電流で分単位の放電を行った後、前記放電を停止し、前記鉛蓄電池の容量に応じた分単位の待機状態とするプロセスを１サイクルとして、複数回繰り返す鉛蓄電池の充放電装置。
【請求項２】
前記充電の電流は、０．０７Ｃ以上０．２５Ｃ以下であり、前記放電の電流は、０．１４Ｃ以上０．４Ｃ以下であり、分単位の充電時間と放電時間との各々は、少なくとも１分以上である請求項１に記載の鉛蓄電池の充放電装置。
【請求項３】
分単位の待機状態は、少なくとも１分以上である請求項１又は請求項２に記載の鉛蓄電池の充放電装置。
【請求項４】
２つの鉛蓄電池が接続された鉛蓄電池の充放電装置であって、
前記制御部は、一方の鉛蓄電池の待機状態の時に、他方の鉛蓄電池の放電又は充電を行うように制御する請求項１から請求項３のいずれか一項に記載の鉛蓄電池の充放電装置。
【発明の詳細な説明】
【技術分野】
【０００１】
本発明は、鉛蓄電池の充放電装置に関する。
【背景技術】
【０００２】
鉛蓄電池の性能を低下させる要因の一つとして、鉛蓄電池の正電極、負電極に発生するサルフェーション（硫酸塩被膜：ＰｂＳＯ４）が知られている。サルフェーションは、鉛蓄電池を放電する際に、希硫酸電解質溶液と、正極（酸化鉛電極）と負極（鉛電極）が電気化学反応を起こすことによって両電極上に形成される。そして、正極及び負極の表面が、サルフェーションによって被膜に覆われることによって、各電極と電解質溶液との間で生じる所期の電気化学反応が阻害され、鉛蓄電池の充電性能及び放電性能が低下してしまう。
【０００３】
サルフェーションに起因して低下した鉛蓄電池の性能を回復させる技術として、鉛蓄電池に対して、パルス電流を印加する技術が知られている（特許文献１を参照）。特許文献１に記載された技術では、微小なパルス電流を印加することによって、被膜の表層部に電荷が集中し、サルフェーションが電気分解される。
【先行技術文献】
【特許文献】
【０００４】
【特許文献１】特許第３９０２２１２号公報
【発明の概要】
【発明が解決しようとする課題】
【０００５】
しかしながら、特許文献１に記載された技術では、微小なパルス電流を印加しているため、サルフェーションの電気分解により除去される領域は、鉛あるいは被膜表面の浅い部分のサルフェーションに終始してしまう。よって、鉛蓄電池の性能低下の抑制効果は得られないおそれがある。
【０００６】
この課題を解決するために、大電流のパルス電流を印加する方法が提案されている。しかし、この方法では、電極とその表面との間に電撃ショックが加えられるため、サルフェーションの多くが電極下部に落下してしまい、あるいは、溶解せずに電解液中に浮遊した状態となり、電池の放電時には再び電極板に皮膜が付着してしまうという問題があった。
【０００７】
本発明は、このような事情に鑑みてなされたもので、その目的は、鉛蓄電池を充放電する鉛蓄電池の充放電装置において、電撃ショックを加えずに、パルス電流を印加することなく鉛蓄電池のサルフェーションを除去することができる鉛蓄電池の充放電装置を提供することである。
【課題を解決するための手段】
【０００８】
本発明の一態様は、鉛蓄電池の容量を回復するための機能回復動作と、前記鉛蓄電池を満充電するための充電動作を行う鉛蓄電池の充放電装置であって、前記鉛蓄電池を充電する充電部と、前記鉛蓄電池を放電する放電部と、前記充電部と前記放電部とを制御する制御部と、を備え、前記制御部は、前記機能回復動作として、前記鉛蓄電池の容量に応じた電流で分単位の充電を行った後、前記充電を停止し、前記鉛蓄電池の容量に応じた分単位の待機状態とし、続いて、前記鉛蓄電池の容量に応じた電流で分単位の放電を行った後、前記放電を停止し、前記鉛蓄電池の容量に応じた分単位の待機状態とするプロセスを１サイクルとして、複数回繰り返す鉛蓄電池の充放電装置である。
【０００９】
また、本発明の一態様は、上述した鉛蓄電池の充放電装置であって、前記充電の電流は、０．０７Ｃ以上０．２５Ｃ以下であり、前記放電の電流は、０．１４Ｃ以上０．４Ｃ以下であり、分単位の充電時間と放電時間との各々は、少なくとも１分以上である。
【００１０】
また、本発明の一態様は、上述した鉛蓄電池の充放電装置であって、分単位の待機状態は、少なくとも１分以上である。
【００１１】
また、本発明の一態様は、上述した鉛蓄電池の充放電装置であって、２つの鉛蓄電池が接続された鉛蓄電池の充放電装置であって、前記制御部は、一方の鉛蓄電池の待機状態の時に、他方の鉛蓄電池の放電又は充電を行うように制御する。
【発明の効果】
【００１２】
本発明によれば、鉛蓄電池を充放電する鉛蓄電池の充放電装置において、電撃ショックを加えずに、パルス電流を印加することなく鉛蓄電池のサルフェーションを除去することができる鉛蓄電池の充放電装置を提供することができる。
【図面の簡単な説明】
【００１３】
【図１】本発明の実施形態における充放電装置の外観を示す概略図である。
【図２】本発明の実施形態における充放電装置の内部回路を示すブロック図である。
【図３】本発明の実施形態における充放電装置の制御部の動作を示すフローチャートである。
【図４】本発明の実施形態における充放電装置の機能回復動作を説明するタイムチャートである。
【図５】鉛蓄電池の容量に応じた機能回復動作の電流・時間の設定値のテーブルを示す図である。
【図６】通常充電方法と本発明の充電方法との機能回復効果の比較を示すグラフである。
【図７】本発明の実施例の充放電装置の２台動作の主要部を示すタイムチャートである。
【発明を実施するための形態】
【００１４】
以下に、本発明の実施形態における鉛蓄電池の充放電装置（以下、「充放電装置」という。）について説明する。
まず、本実施形態の概要について説明する。
充放電装置は、出力端子が鉛蓄電池に接続されている。充放電装置は、鉛蓄電池を充電するための充電部と、鉛蓄電池を放電するための放電部と、充電部及び放電部を制御するための制御部と、商用電源から直流を生成する直流電源回路とを備える。
また、充放電装置は、電源入／切スイッチ、充電や放電状態を示す出力表示部、外部モニターや記憶素子を接続する外部出力部などを適宜設けることができる。
【００１５】
直流電源回路は、充放電装置の駆動電源と充電部と放電部とに電圧を出力する。
充電部は、充電電流及び充電電圧を鉛蓄電池に出力する充電用電源と、鉛蓄電池の充電電流を検出する電流検出器と、充電用電源をオン／オフするための充電スイッチング回路とで構成されている。また、充電部は、制御部からの信号に基づいて運転される。
【００１６】
充電スイッチング回路は、直流電源回路から鉛蓄電池へ供給される充電電流をオンまたはオフするための回路である。例えば、充電スイッチング回路は、充電用リレーと、充電用リレーの駆動回路をオン／オフするＦＥＴ（Field effect transistor：電界効果トランジスタ）とで構成されている。充電スイッチング回路は、制御部からの信号に基づいて、ＦＥＴのゲート端子への通電のオン／オフによって充電用リレーを駆動する。なお、充電電流をオン／オフする手段は、この方式の限りではない。また、充電スイッチング回路は、充電用リレーを含まない構成にしてもよい。
【００１７】
放電部は、放電装置としての電子負荷装置と、放電電流を検出する電流検出器と、放電電流をオン／オフするための放電スイッチング回路とで構成されている。放電部は、制御部からの信号に基づいて運転される。
【００１８】
電子負荷装置は、放電負荷として作動するとともに、制御部からの信号に基づき、放電電流の調整装置として用いる。
【００１９】
放電スイッチング回路は、鉛蓄電池から電子負荷装置へ供給される放電電流をオン／オフするための回路である。例えば、放電スイッチング回路は、放電用リレーと、放電用リレーの駆動回路とをオン／オフするＦＥＴで構成されている。放電スイッチング回路は、制御部からの信号に基づいてＦＥＴのゲート端子への通電をオン／オフすることによって、放電用リレーを駆動する。なお、放電電流をオン／オフする手段は、この限りではない。また、放電スイッチング回路は、放電用リレーを含まない構成にしてもよい。
【００２０】
制御部は、例えば、所定の動作をプラグラムされたマイコンであって、充電、放電、待機といった動作を組み合せながら、機能回復動作や充電動作を実行する。ここで、機能回復動作とは、鉛蓄電池の容量を回復する動作である。充電動作とは、鉛蓄電池を満充電する動作である。
充電に関しては、制御部は、直流電源を制御し、所定の電流及び電圧を生成する。また、制御部は、ＦＥＴを制御し、リレーを連続または所定間隔で動作させ、電流検出によって充電動作を確認する。また、制御部は、鉛蓄電池の端子電圧を検出して、充電動作全体の制御を行うことができる。
【００２１】
放電に関しては、制御部は、電子負荷装置を制御し、所定の電流及び電圧を生成する。また、制御部は、ＦＥＴを制御し、リレーを連続または所定間隔で動作させ、電流検出によって放電動作を確認する。また、制御部は、鉛蓄電池の端子電圧を検出して、放電動作全体の制御を行うことができる。
なお、制御部は、待機状態の設定や、充放電の繰り返し回数といった充放電全体の制御を行うことができる。
【００２２】
鉛蓄電池は、その容量によって、必要な充放電電流量が異なるので、充放電電流値は一般的に充放電率Ｃで表記される。ここでＣとは、鉛蓄電池の定格容量を１時間で充電または放電するのに相当する電流の大きさを表し、ｎＣ＝充放電電流（Ａ）÷定格容量（Ａｈ）で表される。すなわち、ｎの値が小さいほど、小電流の充放電を意味する。
【００２３】
次に本実施形態における効果について説明する。
＜従来の充放電装置＞
まず、従来の充放電装置の充放電について説明する。
鉛蓄電池に充電する場合、従来の充放電装置は、普通充電として、電流値０．１Ｃ程度で約１２時間かけて満充電まで実施することが多い。また、充放電装置は、緊急対応の急速充電として、３０分間を限度に、１Ｃ程度で鉛蓄電池に充電するが、鉛蓄電池自体を痛める恐れがあるため、満充電までは充電しない。
【００２４】
一方、鉛蓄電池を放電する場合、充放電装置は、一般的に０．０５Ｃ〜３Ｃ程度の電流で鉛蓄電池を放電する。これは、鉛蓄電池が短時間の大電流放電や、長時間の緩やかな放電にも比較的安定した性能を持つためである。
しかし、鉛蓄電池は、完全放電すると、電極板表面にサルフェーションが発生しやすくなる。よって、電極板表面がサルフェーションによって被膜に覆われ、充放電装置は、鉛蓄電池に十分な充放電ができなくなる。この現象が進行すると、鉛蓄電池は、使用に耐えなくなる。そのため、充放電装置は、過放電を避けて、鉛蓄電池の放電後すぐに鉛蓄電池に充電を行う。このように、充放電装置は、常に鉛蓄電池の容量を満たしておくことで、電極板表面にサルフェーションが発生するのを抑制している。
【００２５】
次に、従来の充放電装置のサルフェーションに起因して低下した鉛蓄電池の性能を回復させる方法について説明する。
一般的に、サルフェーションに起因して低下した鉛蓄電池の性能を回復するには、電極に付着したサルフェーションを強制的に電気分解し硫酸に戻すことで、サルフェーションを除去する必要がある。
【００２６】
その方法の一つとして、高周波パルス電圧刺激によるＰｂＳＯ４（サルフェーション）のイオン化がある。これは、充放電装置が鉛蓄電池にμ秒単位の高周波短パルスで２０Ｖ近くの電圧を繰り返し印加するものである。しかし、電極をコンデンサと考えると、電極が刺激される時間が短いため、電極における化学反応は電極の浅い部分に終始してしまい、結果的にＰｂＳＯ４のイオン化にはほとんど影響を及ぼさない可能性がある。
【００２７】
＜本発明の充放電装置＞
次に、本実施形態の充放電装置の充放電について説明する。
鉛蓄電池に充電する場合、本発明の実施形態における充放電装置は、定電流による充電と充電の間断とを繰り返し行う間断充電方式で充電を行う。特に、機能回復動作として、充放電装置は、充放電電流値を比較的大電流に設定し、分単位の充放電のサイクルを行うことで、鉛蓄電池の電極を刺激する。
さらに、充電と放電との間の待機状態を分単位にすることで、充放電装置は、サルフェーションを抑制することができる。つまり、本発明の実施形態における充放電装置は、比較的大電流の定電流で充放電を行うことにより、電極上の活物質の深部から活物質を取り出すことができる。また、本発明の実施形態における充放電装置は、充電と放電と間に分単位の「間」を設けることで、鉛蓄電池の電極の化学反応を確実に行うことができる。
【００２８】
なお、上述した比較的大電流の充放電の定電流値は、鉛蓄電池の容量に応じて適宜設定される。ただし、分単位レベルの充電の場合、充放電の電流値が０．０７Ｃ未満では十分に電極が刺激されない。また、充放電の電流値が０．２５Ｃを超えると鉛蓄電池の破壊につながる恐れがある。よって、鉛蓄電池を充電する場合は、充放電の電流値を０．０７Ｃ〜０．２５Ｃに設定することが望ましい。
【００２９】
また、分単位レベルの放電の場合、充放電電流値が０．１４Ｃ未満では十分に電極が刺激されない。また、充放電の電流値が０．４Ｃを超えると鉛蓄電池の破壊につながる恐れがある。よって、鉛蓄電池を放電する場合は、充放電の電流値を０．１４Ｃ〜０．４Ｃに設定することが望ましい。
ここで、充放電の分単位と待機状態の分単位とは、１分以上のことをいう。また、充放電の分単位の時間と待機状態の分単位の時間とは、鉛蓄電池の状態に応じて、適宜設定される。
【００３０】
また、分単位の待機状態を設けることで、充放電装置は、２つの鉛蓄電池の各々に接続された場合、２つの鉛蓄電池に対して交互に充放電を行うとともに、予め決められた時間内に充放電を行うことができる。例えば、充放電装置は、一方の鉛蓄電池に充電し、その後の待機状態中に、他方の鉛蓄電池に充電する。また、充放電装置は、他方の鉛蓄電池への充電後の待機時間中に、再び一方の鉛蓄電池の充電をする。よって、充放電装置は、予め決められた時間内に、２つの鉛蓄電池の機能回復の作業を実施することができる。
なお、本発明の充放電装置は、機能回復動作の後に、鉛蓄電池を満充電にするための充電動作を行うことができる。また、本発明の充放電装置の充電動作は、充電時の電流値を確認しながら定電圧を連続して印加する方法や、充電時の電流値を確認しながら、通電と待機を繰り返す方法を用いることができる。
【００３１】
次に、本実施形態の具体例について、図面を参照しながら説明する。図１は、本発明の実施形態における充放電装置１の外観を示す概略図である。
図１に示すように、充放電装置１は、外観構成として、電源スイッチ２と、充電入／切スイッチ３と、鉛蓄電池１０が接続される出力端子４と、充電時間と間隔と回数と電流と電圧とを設定する充電操作部５と、放電時間と間隔と回数と電流と電圧とを設定する放電操作部６と、待機時間と間隔と回数とを設定する待機操作部７と、充電と放電と待機との運転状態を表示する表示部８とを備えている。また、充放電装置１は、電源コード９を通じて、商用電源から電圧が供給される。
充電入／切スイッチ３は、充電入３ａと充電切スイッチ３ｂとを備えている。また、出力端子４は、出力端子４ａと出力端子４ｂとを備えている。
【００３２】
充放電装置１は、鉛蓄電池１０ａに出力端子４ａを介して接続されている。また、充放電装置１は、鉛蓄電池１０ｂに出力端子４ｂを介して接続されている。よって、充放電装置１は、１台で２台の鉛蓄電池（鉛蓄電池１０ａ、鉛蓄電池１０ｂ）に充放電を行う。
【００３３】
次に、充放電装置１の内部回路について説明する。充放電装置１の内部回路は、制御基板１１に設けられている。
図２は、本発明の実施形態における充放電装置の内部回路を示すブロック図である。
図２に示すように、充放電装置１の内部回路は、定電流直流電源１２と、充電スイッチング回路１３と、充電用リレー１４と、電子負荷装置１５と、放電スイッチング回路１６と、放電用リレー１７と、図示しないマイコンと、図示しない直流電源回路とを備える。
なお、定電流直流電源１２は、直流電源回路から供給される直流電源である。
【００３４】
制御部であるマイコンは、操作部の設定に基づいて充電スイッチング回路１３と放電スイッチング回路１６とを制御することで、上述した充放電と待機運転とを行う。
鉛蓄電池１０は、出力端子４に接続され、充放電装置１により制御基板１１を通じて充放電が制御される。
【００３５】
本発明の実施形態における充放電装置に接続される鉛蓄電池として、５時間率放電容量２８Ａｈ、公称電圧１２Ｖの鉛蓄電池（株）ジーエス・ユアサコーポレーション製エコ．アールＥＣＴ−４０Ｂ１９Ｒを使用した。また、鉛蓄電池の状態を以下の方法で評価した。
＜評価方法＞
鉛蓄電池の状態の評価は、（１）一連の充電動作後、連続放電し、終止電圧として１０．２Ｖに低下するまでの時間（以下、「放電可能時間」という。）を測定する。（２）自動車のエンジン始動性能を示す尺度であるＣＣＡ（Cold Cranking Ampere）を測定した。測定にはＣＣＡメーター（ＭＩＤＴＲＯＮＩＣＳ社製ＰＢＴ−２００）を使用した。
＜比較例１＞
新品の鉛蓄電池Ａの放電可能時間は１３０分、ＣＣＡは３１０であった。
＜比較例２＞
実使用された鉛蓄電池Ｂを評価したところ、放電可能時間は４０分、ＣＣＡは２８５であり、Ａに対して時間は３１％、ＣＣＡは９２％に低下していた。
＜比較例３＞
実使用された別の鉛蓄電池Ｃを評価したところ、放電可能時間は４５分、ＣＣＡは２２
０であり、Ａに対して時間は３５％、ＣＣＡは７１％に大幅に低下していた。
【００３６】
次に、本発明の充放電装置１の機能回復動作と充電動作について説明する。なお、機能回復動作と充電動作を行うにあたり、電源スイッチと、充電入／切スイッチと、充電操作部と、放電操作部と、待機操作部と、表示部とを適宜操作する。しかし、本実施形態において、これらの操作方法に関する説明は省略する。
【００３７】
図３は、本発明の実施形態における充放電装置の制御部の動作を示すフローチャートである。まず、充放電装置１は、機能回復可否処理を行う。
ステップＳ１において、充放電装置１は、定電圧１８Ｖ、定電流５Ａで鉛蓄電池１０に５分間の充電を行う。
【００３８】
制御部は、ステップＳ２とステップＳ３において、鉛蓄電池１０に充電を開始してから３０秒経過した時点で機能回復が可能な鉛蓄電池かどうかを判定する。
ステップＳ２において、制御部は、出力端子４の端子電圧を検出し、検出した端子電圧の上昇率が１０％以下か否かを判定する。制御部は、検出した端子電圧の上昇率が１０％以下である場合（ステップＳ２：ＹＥＳ）、ステップＳ３に進む。一方、制御部は、検出した端子電圧の上昇率が１０％を超える場合（ステップＳ２：ＮＯ）、機能回復不可能である鉛蓄電池であると判定し、ステップＳ４に進む。
【００３９】
ステップＳ３において、制御部は、出力端子４の端子電圧が１２Ｖ以下か否かを判定する。制御部は、出力端子４の端子電圧が１２Ｖ以下である場合（ステップＳ３：ＹＥＳ）、機能回復可能である鉛蓄電池であると判定し、ステップＳ７に進む。一方、制御部は、出力端子４の端子電圧が１２Ｖを超える場合（ステップＳ３：ＮＯ）、機能回復不可能である鉛蓄電池であると判定し、ステップＳ４に進む。
【００４０】
ステップＳ４において、制御部は、出力端子４の端子電圧の上昇率や出力端子４の端子電圧が高く機能回復不可能であるため、表示部８などに警告を発し、ステップＳ５に進む。
ステップＳ５において、制御部は、鉛蓄電池１０の充電動作を停止する。このように、出力端子４の端子電圧の上昇率や出力端子４の端子電圧が高すぎることは、鉛蓄電池の電極の活物質が有効に還元されていないことを意味する。すなわち鉛蓄電池は、劣化が著しく、機能回復不可能であると判定される。
【００４１】
次に、制御部は、機能回復動作に移行する。
ステップＳ６において、制御部は、充電判定回数ｎを０（ゼロ）に設定する。ここで、充電判定回数ｎは、機能回復動作において鉛蓄電池に充電を行った回数を示す。なお、充電判定回数ｎの初期値は、０（ゼロ）である。
ステップＳ７において、制御部は、定電流５Ａ（０．１８Ｃ）で５分間鉛蓄電池に充電を行い、ステップＳ８に進む。
ステップＳ８において、制御部は、３分間鉛蓄電の充電を停止し、ステップＳ９に進む。
【００４２】
ステップＳ９において、制御部は、充電判定回数ｎを１インクリメントする。制御部は、充電判定回数ｎを１インクリメントした後、ステップＳ１０に進む。
ステップＳ１０において、制御部は、充電判定回数ｎが５以上か否かを判定する。制御部は、充電判定回数ｎが５以上である場合（ステップＳ１０：ＹＥＳ）、ステップＳ１１に進む。一方、制御部は、充電判定回数ｎが５未満である場合（ステップＳ１０：ＮＯ）、ステップＳ７に進む。
【００４３】
ステップＳ１１において、制御部は、定電流１０Ａ（０．３６Ｃ）で１分間鉛蓄電池を放電し、ステップＳ１２に進む。
ステップＳ１２において、制御部は、３分間鉛蓄電の放電を停止し、ステップＳ１３に進む。
【００４４】
ステップＳ１３において、制御部は、放電判定回数ｍを１インクリメントする。ここで、充電判定回数ｍは、機能回復動作において鉛蓄電池に放電を行った回数を示す。なお、放電判定回数ｍの初期値は、０（ゼロ）である。制御部は、放電判定回数ｍを１インクリメントした後、ステップＳ１４に進む。
【００４５】
ステップＳ１４において、制御部は、放電判定回数ｍが５以上か否かを判定する。制御部は、放電判定回数ｍが５以上である場合（ステップＳ１４：ＹＥＳ）、ステップＳ１５に進む。一方、制御部は、放電判定回数ｍが５未満である場合（ステップＳ１４：ＮＯ）、ステップＳ６に進む。
【００４６】
図４は、本発明の実施形態における充放電装置の機能回復動作を説明するタイムチャートである。図４に示すように、横軸が時間（分）を示し、縦軸が充電電流（Ａ）を示す。
図４に示すように、制御部は、機能回復動作において、定電流５Ａ（０．１８Ｃ）で５分間充電し、その後、３分間充電を停止する充電処理を５回行う。また、制御部は、充電処理を５回行った後、定電流１０Ａ（０．３６Ｃ）で１分間放電し、その後、３分間放電を停止する放電処理を１回行う。制御部は、５回充電処理を行うことと、１回放電処理を行うこととを１サイクルとして、５サイクル繰り返す。
【００４７】
なお、機能回復動作時において、充電電流値と充電時間と、放電電流値と放電時間と、待機状態の時間とは、鉛蓄電池の容量に応じて、図５に示すように設定できる。
図５は、鉛蓄電池の容量に応じた機能回復動作の電流・時間の設定値のテーブルを示す図である。
【００４８】
次に、制御部は、充電動作に移行する。
ステップＳ１５において、制御部は、１８Ｖ、５Ａで５分間の充電を行い、ステップＳ１６に進む。
ステップＳ１６において、制御部は、満充電に達したかどうかを判定する。制御部は、充電電流が２Ａ以下の場合（ステップＳ１６：ＹＥＳ）、満充電に達したと判定し、ステップＳ１７に進む。ここで、２Ａとなる充電電流値は、電極の活物質の還元反応が終了する電流値である。一方、制御部は、充電電流が２Ａを超える場合（ステップＳ１６：ＮＯ）、満充電に達していないと判定し、ステップＳ１８に進む。
【００４９】
ステップＳ１７において、制御部は、充電動作を終了する。
ステップＳ１８において、制御部は、鉛蓄電池の充電を３分間停止し、ステップＳ１９に進む。
ステップＳ１９において、制御部は、充電動作判定回数Ｌを１インクリメントする。ここで、充電動作判定回数Ｌは、ステップＳ１５の処理及びステップＳ１８の処理を行った回数を示す。なお、充電動作判定回数Ｌの初期値は、０（ゼロ）である。制御部は、充電動作判定回数Ｌを１インクリメントした後、ステップＳ２０に進む。
【００５０】
ステップＳ２０において、制御部は、充電動作判定回数Ｌが２５以上か否かを判定する。制御部は、充電動作判定回数Ｌが２５以上である場合（ステップＳ２０：ＹＥＳ）、ステップＳ２１に進む。一方、制御部は、充電動作判定回数Ｌが２５未満である場合（ステップＳ２０：ＮＯ）、ステップＳ１５に進む。
【００５１】
ステップＳ２１において、制御部は、鉛蓄電池の充電エラーとして、表示部などに警告を発し、ステップＳ２２に進む。
ステップＳ２２において、制御部は、充電動作を終了する。
【００５２】
このように、充電動作において、制御部は、５分間充電を行い、充電電流が２Ａを超える場合は、満充電に達していないと判定し、３分間充電を停止する。制御部は、この５分間充電した後、３分間待機する処理を１サイクルとして、最低でも２５サイクル繰り返す。制御部は、上記のサイクルを行っている途中で、充電電流が２Ａ以下に低下した場合は、満充電に達したと判定して、充電動作を停止する。一方、制御部は、上記のサイクルを２５回繰り返しても、充電電流が低下しない場合は充電エラーとして警告を発し、充電を停止する。
【００５３】
次に、本発明の充放電装置１において、鉛蓄電池Ｂと鉛蓄電池Ｃとを用いて機能回復動作と満充電とを行い、放電可能時間とＣＣＡとを鉛蓄電池Ａと比較した。
＜実施例１＞
鉛蓄電池Ｂを用いて、機能回復動作と満充電とを実施した後、放電可能時間とＣＣＡとを評価した。鉛蓄電池Ｂは、放電可能時間が１２０分、ＣＣＡが３３５となり、鉛蓄電池Ａに対して時間が９２％に、ＣＣＡが１０８％に回復した。
＜実施例２＞
鉛蓄電池Ｃを用いて、機能回復動作と満充電とを実施した後、放電可能時間とＣＣＡとを評価した。鉛蓄電池Ｃは、放電可能時間が６５分、ＣＣＡが２２５となり、鉛蓄電池Ａに対して放電可能時間が５０％、ＣＣＡが８２％に回復した。これにより、劣化が進行し過ぎた鉛蓄電池であっても、わずかであるが機能回復することがわかる。
【００５４】
＜通常の充電方法と本発明の充電方法の機能回復効果比較＞
次に、通常の充電方法と本発明の充電方法（間断充電方式）との機能回復効果の比較を図６に基づき説明する。
図６は、通常の充電方法と本発明の充電方法との機能回復効果を比較したグラフである。図６に示すように、横軸は、充電と放電と測定とを１サイクルとするサイクル数を示し、縦軸は、放電可能時間（分）を示す。
【００５５】
通常の充電方法として、充放電装置は、鉛蓄電池に１５Ｖの定電圧で満充電（完了時電流３Ａ）し、上述した（１）の評価方法同様に連続放電し、放電可能時間を測定した。この充電と放電と測定とを１サイクルとして１００サイクル繰り返した。
その結果、図６に示すように、放電可能時間は、当初１０５分であったが、指数関数的に短くなった。具体的には、２０サイクルで放電可能電圧が４０分に低下し、４０サイクルで放電可能電圧が２５分に低下、１００サイクルでは放電可能電圧が１５分に低下した。これより、通常の充電方法は、機能回復効果が全くないことがわかる。
【００５６】
次に、本発明の充電方法として、充放電装置は、放電可能時間が低下した鉛蓄電池を用いて、機能回復動作と満充電までの充電とを行い、前記（１）の評価方法同様に連続放電し、放電可能時間を測定した。この充電と放電と測定とを１サイクルとして２０サイクルまで繰り返した。
その結果、図６に示すように、放電可能時間は、２０分から６０分に回復した。その後、２０サイクル繰り返しても放電可能時間は５５分である。これより、本発明の充電方法は、機能回復されて、放電可能時間がほぼ維持することができる。
【００５７】
次に、本発明も実施形態における充放電装置１において、鉛蓄電池１０ａと鉛蓄電池１０ｂである２台の鉛蓄電池を同時に充電する方法について説明する。
図７は、本発明の実施形態における充放電装置１において、鉛蓄電池１０ａと鉛蓄電池１０ｂである２台の鉛蓄電池を同時に充電する方法を説明するタイムチャートである。図７（ａ）は、横軸が時間（分）を示し、縦軸が鉛蓄電池１０ａの充電電流と放電電流とを示すタイムチャートである。図７（ｂ）は、横軸が時間（分）を示し、縦軸が鉛蓄電池１０ｂの充電電流と放電電流とを示すタイムチャートである。
【００５８】
図７（ａ）に示すように、充放電装置１は、鉛蓄電池１０ａと鉛蓄電池１０ｂとの各々に４分間の充電（３０秒後に機能回復可否判定）を行う。また、充放電装置１は、鉛蓄電池１０ａと鉛蓄電池１０ｂとの各々に定電流５Ａ（０．１８Ｃ）で４分間充電し、その後、４分間待機する。ただし、充放電装置１は、鉛蓄電池１０ａと鉛蓄電池１０ｂとの各々の充電のタイミングを４分間ずらす。
【００５９】
充放電装置１は、鉛蓄電池１０ａと鉛蓄電池１０ｂとの各々に、４分間の充電と待機とを５回と、１分間の放電と、４分間の待機とを１サイクルとして、５サイクル繰り返す。
【００６０】
次に、充放電装置１は、鉛蓄電池１０ａと鉛蓄電池１０ｂとの各々に、１８Ｖ、５Ａで４分間の充電を行い、満充電に達したかどうか（充電電流２Ａ以下）の判定を行う。充放電装置１は、鉛蓄電池１０ａと鉛蓄電池１０ｂとの各々が満充電に達していないと判定した場合、判定した鉛蓄電池を４分間待機する。
また、充放電装置１は、鉛蓄電池１０ａと鉛蓄電池１０ｂとの各々に、上述した４分間の充電と待機とを１サイクルとして、最大２５サイクル繰り返す。ただし、サイクルの途中で、充電電流が２Ａ以下に低下した場合は、充放電装置１は、満充電に達したと判定して、充電動作を停止する。
一方、充放電装置１は、鉛蓄電池１０ａと鉛蓄電池１０ｂとの各々が満充電に達していると判定した場合、充電動作を停止する。
【００６１】
以上のように、充放電装置１は、充電と放電と待機とを組み合せ、鉛蓄電池１０ａと鉛蓄電池１０ｂとの各々のタイミングを４分間ずらす。これにより、充放電装置１は、片方の鉛蓄電池が充放電中に、もう片方の鉛蓄電池を待機状態にすることができる。よって、充放電装置１は、２台の鉛蓄電池を予め決められた時間内に機能回復動作と充電動作とを行うことができる。
【００６２】
上述したように、本実施形態によれば、充放電装置１は、分単位の大電流放電を行ことで鉛蓄電池の電極上の活物質の深部から活物質を取り出し、つまり、電極からより多くの活物質を溶かし出し、放電することができる。
また、上述したように、本実施形態によれば、充放電装置１は、分単位の大電流放電後、すぐに分単位の充電を行うことを繰り返すことで、活物質の溶出によって生成したＰｂ２＋をＰｂに還元する。これにより、充放電装置１は、電極上の活物質の深部から活物質を溶解し、すぐに電着させることを繰り返し、電極を活性化させることができる。
【００６３】
また、充放電装置１は、分単位の大電流放電と分単位の充電とを繰り返す際、充電と放電との間に分単位の待機時間、つまり還元反応に化学反応時間を設けた。これにより、鉛蓄電池のサルフェーションを防止し、長寿命化を実現できる。また、鉛蓄電池が新品であれば、劣化を抑制することができる。また、既に使用された鉛蓄電池であっても、サルフェーションを除去し機能回復が可能になる。
また、分単位の大電流放電と分単位の充電とを繰り返す際、充電と放電との間に分単位の待機時間を設けたことで、充放電装置１は、１台の充放電装置で２台の鉛蓄電池を交互に充放電を行うとともに、予め決められた時間内に充放電を行うことができる。
【００６４】
以上、この発明の実施形態について図面を参照して詳述してきたが、具体的な構成はこの実施形態に限られるものではなく、この発明の要旨を逸脱しない範囲の設計等も含まれる。
【符号の説明】
【００６５】
１…充放電装置本体、２…電源スイッチ、３…充電入／切スイッチ、４…出力端子、５…充電操作部、６…放電操作部、７…待機操作部、８…表示部、９…電源コード、１０…鉛蓄電池、１１…制御基板、１２…定電流直流電源、１３…充電スイッチング回路、１４…充電用リレー、１５…電子負荷装置、１６…放電スイッチング回路、１７…放電用リレー
【図１】
2015176829.tif 000003
【図２】
2015176829.tif 000004
【図３】
2015176829.tif 000005
【図４】
2015176829.tif 000006
【図５】
2015176829.tif 000007
【図６】
2015176829.tif 000008
【図７】
2015176829.tif 000009